(57)【要約】【課題】Ｖチップ２．０が搭載されたデジタルテレビ放送受信装置において、論理チャンネルが対応付けられていない物理チャンネルをユーザが選択したときに、何らかの映像表示が行われるようにする。【解決手段】マイコン１８は、可変ＲＲＴを放送信号から取得して物理チャンネルに対応させて不揮発性メモリに記憶させ、利用者の操作入力に基づいて可変ＲＲＴの項目に視聴制限フラグを設定し、レーティング情報が可変ＲＲＴにおいて視聴制限フラグの設定されたレベルに該当した場合に上記放送信号の視聴を制限し、選択された物理チャンネルに論理チャンネルが対応付けられていない場合に、他方のチューナのチャンネルマップにおいて物理チャンネルと論理チャンネルとが対応済みのチャンネルを代替チャンネルとして選局し、且つ代替チャンネルに対応付けられた可変ＲＲＴを選択された物理チャンネルにも対応付ける。【選択図】図９
2008141571.tif 000002
【特許請求の範囲】
【請求項１】
地上デジタルテレビ放送を受信する地上波チューナと、
デジタルケーブルテレビ放送を受信するＣＡＴＶチューナと、
物理チャンネルに対して放送信号の存在する論理チャンネルの番号が対応付けられた地上波チャンネルマップおよびＣＡＴＶチャンネルマップを記憶した記憶媒体と、
上記地上デジタルテレビ放送の受信時には上記地上波チャンネルマップに基づいてユーザの操作入力に応じて上記論理チャンネルを選択する選局信号を上記地上波チューナに出力し、上記デジタルケーブルテレビ放送の受信時には上記ＣＡＴＶチャンネルマップに基づいてユーザの操作入力に応じて上記論理チャンネルを選択する選局信号を上記ＣＡＴＶチューナに出力し、上記物理チャンネルが選択されると該物理チャンネルに対応付けられた論理チャンネルの放送信号の選局信号を出力しつつ該放送信号に設定されたレーティング情報を取得して該レーティング情報に応じて該放送信号の視聴制限を行うマイコンと、
を備えるデジタル放送受信装置において、
上記マイコンは、
上記レーティング情報のレーティングを一覧表にした可変ＲＲＴを放送信号から取得して上記物理チャンネルに対応させて上記記憶媒体に記憶させ、
上記可変ＲＲＴを画面に表示しつつ利用者の操作入力に基づいて該可変ＲＲＴの項目に視聴制限フラグを設定し、
上記レーティング情報が上記可変ＲＲＴにおいて視聴制限フラグの設定されたレベルに該当した場合に上記放送信号の視聴を制限し、
選択された物理チャンネルに論理チャンネルが対応付けられていない場合に、他方のチューナのチャンネルマップにおいて物理チャンネルと論理チャンネルとが対応済みのチャンネルを代替チャンネルとして選局し、且つ上記代替チャンネルに対応付けられた可変ＲＲＴを上記選択された物理チャンネルにも対応付ける
ことを特徴とするデジタル放送受信装置。
【請求項２】
物理チャンネルに対して放送信号の存在する論理チャンネルの番号が対応付けられたチャンネル対応表を記憶した記憶媒体と、該チャンネル対応表に基づいてユーザの操作入力に応じて上記論理チャンネルを選択する操作入力手段と、を備え、
上記物理チャンネルが選択されると、上記チャンネル対応表に基づいて該物理チャンネルに対応付けられた論理チャンネルの放送信号を選局しつつ、該放送信号に設定された視聴ランクを取得し、該視聴ランクに応じて該放送信号の視聴制限を行うデジタル放送受信装置において、
上記視聴ランクの一覧をデジタルテレビ放送信号から取得して、上記論理チャンネルと対応付けて記憶媒体に記憶する一覧取得手段と、
利用者の操作入力に基づいて上記一覧の何れの項目を視聴制限項目とするかを設定する制限項目設定手段と、
上記視聴ランクが上記一覧において上記視聴制限項目に該当した場合に上記放送信号の視聴を制限する視聴制限手段と、
選択された物理チャンネルに論理チャンネルが対応付けられていない場合に、上記チャンネル対応表において物理チャンネルと論理チャンネルとが対応済みのチャンネルを代替チャンネルとして選局する代替チャンネル選局手段と、
を備え、
上記視聴制限手段は、上記代替チャンネルの選局時には該代替チャンネルに対応付けられた一覧に基づいて放送信号の視聴を制限することを特徴とするデジタル放送受信装置。
【請求項３】
上記デジタル放送受信装置は２種類の放送信号入力系統を有しており、
上記代替チャンネル選局手段は、一方の放送信号入力系統で選択された物理チャンネルに論理チャンネルが対応付けられていない場合には、他方の放送信号入力系統において物理チャンネルと論理チャンネルとが対応済みのチャンネルを代替チャンネルとして選局することを特徴とする上記請求項２に記載のデジタル放送受信装置。
【請求項４】
上記代替チャンネル選局手段は、選択された物理チャンネルに論理チャンネルが対応付けられていない場合に、上記チャンネル対応表において物理チャンネルと論理チャンネルとが対応済みのチャンネルのうちチャンネル番号が最も近いチャンネルを代替チャンネルとして選局することを特徴とする上記請求項２に記載のデジタル放送受信装置。
【請求項５】
上記代替チャンネル選局手段にて代替チャンネルが選局されると、操作入力手段で選択された物理チャンネルに対して該代替チャンネルおよび該代替チャンネルの一覧を対応付けて上記記憶媒体に記憶させる対応関係記憶手段を備えることを特徴とする上記請求項２〜請求項４の何れか一項に記載のデジタル放送受信装置。
【発明の詳細な説明】
【技術分野】
【０００１】
本発明は、デジタル放送受信装置に関し、特に、視聴制限機能を有するデジタル放送受信装置に関する。
【背景技術】
【０００２】
北米（United States、Canada）ではテレビ放送信号を受信するテレビジョンには、子供に見せたくない暴力シーンや猥褻な画像などの不適切な映像や音声の受信および表示を視聴者側で制限するＶチップの搭載が法律により義務付けられている。具体的には、CEA-766-Aにて規定される従来のＶチップでは、各テレビジョンには予め決められたTV RatingとMPAA Ratingで構成されるRating Region Table（以下、固定ＲＲＴと称する。）が記憶されており、この固定ＲＲＴに基づいて視聴制限が行われていた。
【０００３】
しかしながら、Rating Region Tableの変更・拡張が出来るようにするため、2006年3月15日より、１３インチ以上のデジタルテレビ放送受信装置にはＶチップ２．０の搭載が米連邦通信委員会により義務付けられた。このＶチップ２．０は、放送中に送信されるRating Region Table（以下、可変ＲＲＴと称する。）をテレビジョン側で認識して番組の視聴制限を可能にするものである。
【０００４】
Ｖチップ２．０においても、従前のＶチップと同じく、各番組のレーティング情報が放送信号と一緒に送信されており、このレーティング情報と固定ＲＲＴもしくは可変ＲＲＴを組み合わせて視聴制限を行う。
【０００５】
従前のＶチップにおいてレーティング情報を利用する技術として、選局しているチャンネルのレーティング情報を番組タイトル等と関連付けて蓄積しておき、ユーザがレーティング設定時に参照できるようにする技術（例えば特許文献１等。）、レーティング情報を取得して判断する処理等によってザッピングの速度が低下するのを防止する目的で１つのチャンネル視聴中に他のチャンネルのレーティング情報を取得しておく技術（例えば特許文献２等）、チャンネル切替の直後のレーティング情報を取得して判断する間に視聴制限されるべき番組が表示されるのを防ぐためにＥＰＧとともに送出される複数日分のレーティング情報に基づいて視聴制限する技術（例えば特許文献３等。）、が知られている。
【特許文献１】特開２００３−１９８９７４号公報
【特許文献２】特開２００３−５１８８８１号公報
【特許文献３】特開２００３−１１０９５３号公報
【発明の開示】
【発明が解決しようとする課題】
【０００６】
ところでテレビ放送を受信する装置には、ユーザがボタン操作などで指定する物理的なチャンネル番号と、放送信号の周波数帯域に対して割り当てられる論理的なチャンネル番号と、を対応付けるチャンネルマップが存在する。このチャンネルマップにおいて、物理的なチャンネル番号に論理的なチャンネル番号が割り当てられていない場合、ユーザがチャンネルを選択しても映像が表示されない。しかしながら、ユーザはボタン操作を行う以上、何らかの映像が表示されることを期待している。
【０００７】
本発明は、上記課題に鑑みてなされたもので、Ｖチップ２．０が搭載されたデジタルテレビ放送受信装置において、論理チャンネルが対応付けられていない物理チャンネルをユーザが選択したときに、何らかの映像表示が行われるようにすることを目的とする。
【課題を解決するための手段】
【０００８】
上記課題を解決するために、本発明のデジタル放送受信装置では、物理チャンネルに対して放送信号の存在する論理チャンネルの番号が対応付けられたチャンネル対応表を記憶した記憶媒体と、該チャンネル対応表に基づいてユーザの操作入力に応じて上記論理チャンネルを選択する操作入力手段と、を備え、上記物理チャンネルが選択されると、上記チャンネル対応表に基づいて該物理チャンネルに対応付けられた論理チャンネルの放送信号を選局しつつ、該放送信号に設定された視聴ランクを取得し、該視聴ランクに応じて該放送信号の視聴制限を行うデジタル放送受信装置において、上記視聴ランクの一覧をデジタルテレビ放送信号から取得して上記論理チャンネルと対応付けて記憶媒体に記憶する一覧取得手段と、利用者の操作入力に基づいて上記一覧の何れの項目を視聴制限項目とするかを設定する制限項目設定手段と、上記視聴ランクが上記一覧において上記視聴制限項目に該当した場合に上記放送信号の視聴を制限する視聴制限手段と、選択された物理チャンネルに論理チャンネルが対応付けられていない場合に、上記チャンネル対応表において物理チャンネルと論理チャンネルとが対応済みのチャンネルを代替チャンネルとして選局する代替チャンネル選局手段と、を備え、上記記憶媒体には、上記論理チャンネルと一覧との対応関係が記憶されており、上記視聴制限手段は、上記代替チャンネルの選局時には該代替チャンネルに対応付けられた一覧に基づいて放送信号の視聴を制限する構成としてある。
上記構成によれば、一覧取得手段が上記視聴ランクの一覧をデジタルテレビ放送信号から取得して上記論理チャンネルと対応付けて記憶媒体に記憶し、制限項目設定手段が利用者の操作入力に基づいて上記一覧の何れの項目を視聴制限項目とするかを設定し、視聴制限手段は上記視聴ランクが上記一覧において上記視聴制限項目に該当した場合に上記放送信号の視聴を制限し、選択された物理チャンネルに論理チャンネルが対応付けられていない場合に、代替チャンネル選局手段が上記チャンネル対応表において物理チャンネルと論理チャンネルとが対応済みのチャンネルを代替チャンネルとして選局する。そして上記視聴制限手段は、上記代替チャンネルの選局時には該代替チャンネルに対応付けられた一覧に基づいて放送信号の視聴を制限する。
【０００９】
ここで、チャンネル対応表が記憶される記憶媒体と一覧が記憶される記憶媒体とは同一であっても良いし別体であってもよい。また視聴の制限とは、テレビ放送信号に基づく映像の表示や音声出力が制限されることであり、制限の範囲は部分的なものであっても全体的なものであってもよい。かかる構成によれば、論理チャンネルが対応付けられていない物理チャンネルを利用者が選択したときに、代わりのチャンネルの映像や音声を出力して利用者の期待に応えつつ、この利用者の選択した物理チャンネルに対して代替チャンネルの視聴ランクの一覧を対応付けることによって正しい視聴制限を行わせることが可能となる。
【００１０】
そして、上記デジタル放送受信装置は２種類の放送信号入力系統を有しており、上記代替チャンネル選局手段は、一方の放送信号入力系統で選択された物理チャンネルに論理チャンネルが対応付けられていない場合には、他方の放送信号入力系統において物理チャンネルと論理チャンネルとが対応済みのチャンネルを代替チャンネルとして選局する構成としてもよい。
【００１１】
即ち、２種類の信号入力系統で相互に補完しあう形態を採用すると、代替チャンネルとして採用される論理チャンネルが、選択された物理チャンネルの放送信号入力系統のチャンネルと重複する可能性が低くなる。従って多様性に富んだ選択肢をユーザに提供することが可能となる。
【００１２】
さらに、上記代替チャンネル選局手段は、選択された物理チャンネルに論理チャンネルが対応付けられていない場合に、上記チャンネル対応表において物理チャンネルと論理チャンネルとが対応済みのチャンネルのうちチャンネル番号が最も近いチャンネルを代替チャンネルとして選局する構成としてもよい。
即ち、ユーザが物理チャンネルを選択し損ねて論理チャンネルと対応付けられていない隣接する物理チャンネルを選択した場合に、映像や音声を出力して利用者の期待に応えつつ、本来ユーザが選択を意図してたチャンネルを選択する可能性が高くなる。
【００１３】
さらに、上記代替チャンネル選局手段にて代替チャンネルが選局されると、操作入力手段で選択された物理チャンネルに対して該代替チャンネルおよび該代替チャンネルの一覧を対応付けて上記記憶媒体に記憶させる対応関係記憶手段を備える構成としてもよい。
即ち、上記代替チャンネル選局手段にて代替チャンネルが選局された場合に、該代替チャンネルと該代替チャンネルに対応付けられている一覧とを記憶媒体に記憶させて置くことにより、次に同じ物理チャンネルが選択されたときに利用することが可能となる。
【００１４】
以上の構成を踏まえた上で、より具体的な構成例として、地上デジタルテレビ放送を受信する地上波チューナと、デジタルケーブルテレビ放送を受信するＣＡＴＶチューナと、物理チャンネルに対して放送信号の存在する論理チャンネルの番号が対応付けられた地上波チャンネルマップおよびＣＡＴＶチャンネルマップを記憶した記憶媒体と、上記地上デジタルテレビ放送の受信時には上記地上波チャンネルマップに基づいてユーザの操作入力に応じて上記論理チャンネルを選択する選局信号を上記地上波チューナに出力し、上記デジタルケーブルテレビ放送の受信時には上記ＣＡＴＶチャンネルマップに基づいてユーザの操作入力に応じて上記論理チャンネルを選択する選局信号を上記ＣＡＴＶチューナに出力し、上記物理チャンネルが選択されると該物理チャンネルに対応付けられた論理チャンネルの放送信号の選局信号を出力しつつ該放送信号に設定されたレーティング情報を取得して該レーティング情報に応じて該放送信号の視聴制限を行うマイコンと、を備えるデジタル放送受信装置において、上記マイコンは、上記レーティング情報のレーティングを一覧表にした可変ＲＲＴを放送信号から取得して上記物理チャンネルに対応させて上記記憶媒体に記憶させ、上記可変ＲＲＴを画面に表示しつつ利用者の操作入力に基づいて該可変ＲＲＴの項目に視聴制限フラグを設定し、上記レーティング情報が上記可変ＲＲＴにおいて視聴制限フラグの設定されたレベルに該当した場合に上記放送信号の視聴を制限し、選択された物理チャンネルに論理チャンネルが対応付けられていない場合に、他方のチューナのチャンネルマップにおいて物理チャンネルと論理チャンネルとが対応済みのチャンネルを代替チャンネルとして選局し、且つ上記代替チャンネルに対応付けられた可変ＲＲＴを上記選択された物理チャンネルにも対応付けることを特徴とするデジタル放送受信装置。
【発明の効果】
【００１５】
以上説明したように本発明によれば、論理チャンネルが対応付けられていない物理チャンネルを利用者が選択したときに、代わりのチャンネルの映像や音声を出力して利用者の期待に応えつつ、この利用者の選択した物理チャンネルに対して代替チャンネルの視聴ランクの一覧を対応付けることによって正しい視聴制限を行わせることが可能となる。
【００１６】
また請求項３にかかる発明によれば、多様性に富んだ選択肢をユーザに提供することが可能となる。
そして請求項４にかかる発明によれば、ユーザが物理チャンネルを選択し損ねて論理チャンネルと対応付けられていない隣接する物理チャンネルを選択した場合にも、本来ユーザが選択を意図してたチャンネルを選択する可能性が高くなる。
さらに請求項５にかかる発明によれば、次に同じ物理チャンネルが選択されたときに利用することが可能となる。
さらに請求項１のような、より具体的な構成において、上述した請求項２〜請求項５の各発明と同様の作用を奏することはいうまでもない。
【発明を実施するための最良の形態】
【００１７】
以下、下記の順序に従って本発明の実施形態を説明する。
（１）デジタル放送受信装置の構成：
（２）視聴制限に関する情報：
（３）チャンネルマップ：
（４）チャンネルを選択するマイコンの処理：
（５）まとめ：
【００１８】
（１）デジタル放送受信装置の構成： 
以下、本発明の実施形態について図１〜９を参照して説明する。本実施形態においては、デジタル放送受信装置として、デジタルテレビ放送を受信してその放送信号に対応する映像を画面に表示するデジタルテレビジョンを採用して説明するが、表示部は必ずしも一体に形成される必要は無い。無論、記録媒体の再生装置や記録装置、等とのコンボ機であってもよい。
【００１９】
図１はデジタルテレビジョン１００の概略ブロック構成図である。同図において、デジタルテレビジョン１００は、地上デジタルテレビ放送を受信する地上波チューナ１０と、デジタルケーブルテレビ放送を受信するケーブルテレビチューナ（ＣＡＴＶチューナ）１１と、マイコン１８と、デジタル復調回路１２と、映像信号処理部１４と、ディスプレイ１６と、不揮発性メモリ２０と、操作入力部２２と、を含んで構成される。
【００２０】
マイコン１８は、上記各構成部品と電気的に接続しており、デジタルテレビジョン１００全体の動作を制御する。マイコン１８は、ＣＰＵ１８ａと、ＲＯＭ１８ｂと、ＲＡＭ１８ｃと、ＯＳＤ回路１８ｄと、入出力回路１８ｅと、を備える。つまり、マイコン１８においては、ＣＰＵ１８ａが、ＲＡＭ１８ｃをワークエリアとして、ＲＯＭ１８ｂに記憶されたプログラムやデータに基づいてデジタルテレビジョン１００の動作を制御する。
【００２１】
また、マイコン１８は、ＣＰＵ１８ａの制御により、操作入力部２２から入出力回路１８ｅに入力される電圧信号を受け付け、受け付けた操作入力に対応するＯＳＤ（On Screen Display）信号を生成する。例えば、マイコン１８は所定の操作項目を画面に表示させるＯＳＤ信号を生成し、ディスプレイ１６の画面に表示された操作項目の中からいずれかを選択する操作入力を操作入力部２２から受け付けるとともに、選択された操作項目に対応する設定処理を実行する。
【００２２】
地上波チューナ１０およびＣＡＴＶチューナ１１は、いわゆるシンセサイザ方式の構成とされている。各チューナには、選局制御信号としてＰＬＬデータ、すなわち、ＰＬＬループにおける可変分周回路の分周比のデータが与えられる。各チューナは、マイコン１８からＰＬＬデータの送信を受けて、アンテナを介して受信したデジタルテレビ放送の各チャンネルに対応する放送信号のいずれかから所望の周波数帯域の中間周波信号（ＩＦ）を抽出してデジタル復調回路１２に供給する。これにより各チューナは複数のチャンネルの中から一つのチャンネルを選択する。
【００２３】
マイコン１８は、操作入力部２２から入力される電圧信号を入出力回路１８ｅを介して受信することによって、制御処理を行う。例えば、操作入力部２２からチャンネル切替信号が入力されると、そのとき選局すべきチャンネルを認識し、選局されたチャンネルのテレビジョン放送信号を受信するための選局制御信号を地上波チューナ１０またはＣＡＴＶチューナ１１に送信する。また、設定画面を表示させる選択信号が入力されると、ＯＳＤ回路１８ｄに画像情報や文字情報に基づくＯＳＤ信号を生成させ、このＯＳＤ信号を映像信号処理部１４に出力してディスプレイ１６にＯＳＤ表示を行わせる。このＯＳＤ表示を視認しつつさらにユーザが操作入力を行うことにより、各種設定を行うことが出来る。この操作入力部２２からの電圧信号に基づいて設定を行うマイコン１８が操作入力手段を構成する。
【００２４】
デジタル復調回路１２は、フロントエンド１２ａとバックエンド１２ｂとから構成される。フロントエンド１２ａは、デジタルＩ／Ｆと復調部とを備える。中間周波信号が入力されるデジタルＩ／ＦはＡ／Ｄコンバータを有しており、デジタルＩ／Ｆから信号の供給を受ける復調部は、チャンネルイコライザ、エラー訂正デコード部等を有している。すなわち、デジタルＩ／Ｆと復調部とは、入力される中間周波信号をデジタル信号に変換するとともに、マイコン１８からの制御情報に基づいてデジタル復調した信号に対していわゆるゴーストキャンセルを行う。さらに、デジタルＩ／Ｆと復調部は、伝送路上で発生したビット誤りを訂正し、トランスポートストリーム信号（ＴＳ信号）を得る。
【００２５】
ＴＳ信号は、バックエンド１２ｂに出力される。バックエンド１２ｂは、デスクランブル部とデマルチプレックス部とＭＰＥＧデコーダとを備えている。ＴＳ信号は、通常スクランブルがかかっているため、このままでは適正に映像・音声を再生することはできない。そこで、デスクランブル部がＴＳ信号に対してデ・スクランブル処理を行うことにより、ＴＳ信号を再生可能なデータ配列に復元する。デ・スクランブル処理が行われたＴＳ信号は、映像信号や音声信号や文字情報等が多重化された形式となっており、デマルチプレックスに供給される。デマルチプレックス部では入力されたデータに対してデ・マルチプレックス処理を行う。すなわち、ここで多重化が解除される。
【００２６】
デ・マルチプレックス処理にて多重化が解除されると、映像信号および音声信号が所定の方式により圧縮されたＭＰＥＧデータが得られる。ＭＰＥＧデータはＭＰＥＧデコーダに供給され、ＭＰＥＧデコーダにて圧縮解凍処理、つまりＭＰＥＧデコード処理が行われる。このＭＰＥＧデコード処理により、デジタル映像信号とデジタル音声信号とが生成される。デジタル映像信号は、映像信号処理部１４に対して出力される。一方、デジタル音声信号は、所定のＤ／Ａ変換部によってアナログ音声信号に変換されるとともに、このアナログ音声信号が不図示のスピーカに出力される。
【００２７】
映像信号処理部１４では、デジタル映像信号を入力すると、この映像信号に対して所定の信号処理をした上で、ディスプレイ１６に出力する。ディスプレイ１６としては、ＣＲＴや液晶パネルやプラズマディスプレイパネルなど種々の映像表示装置を採用可能であるが、本実施形態では液晶パネルを例に説明する。
【００２８】
映像信号処理部１４は、画素数変換回路と、画質調整回路と、出力処理回路とを有している。画素数変換回路はデジタル映像信号を入力し、この映像信号に対してスケーリング処理を行いつつ、液晶パネルに表示される１画面分のＲＧＢ信号を生成する。画質調整回路は、画素数変換回路によってスケーリング処理が施されたＲＧＢ信号に対して、ブライトネス、コントラスト、黒バランスおよび白バランス、シャープネス等の各種調整を行う。出力処理回路は、画質調整が施されたＲＧＢ信号に対して、ガンマ補正、ディザ処理等を行うとともに、背景信号、ＯＳＤ信号、ブランキング信号等を付加して液晶パネルに出力し、画像を表示させる。
【００２９】
ディスプレイ１６は、例えば液晶パネルとこの液晶パネルを駆動する駆動回路とから構成され、駆動回路が映像信号処理部１４から入力される映像信号に基づいて駆動信号を生成し、この駆動信号により液晶パネルの各画素を駆動する。無論、ディスプレイ１６としては、プラズマディスプレイパネルと駆動回路、垂直偏向回路や水平偏向回路等により駆動される受像管、等も考えられる。
【００３０】
（２）視聴制限に関する情報： 
ＴＳ信号には、番組配列情報としてＰＳＩＰ（Program Specific Informantion Protocol）データとが含まれている。このＰＳＩＰデータには個々の番組の名称や放送日時、番組内容の説明など、番組に関する情報を伝送するＥＩＴ（Event Information Table）と、Ｖチップのレーティング情報（視聴ランク）を伝送するＲＲＴ（Rating Region Table）とが含まれている。また不揮発性メモリ２０には、出荷時に予めＶチップのレーティング情報のＲＲＴ（Rating Regeon Table）が記憶されている。この不揮発性メモリ２０が記憶媒体を構成する。以下、ＴＳ信号に含まれているＲＲＴを可変ＲＲＴ、不揮発性メモリ２０に予め記憶されているＲＲＴを固定ＲＲＴとして記述する。この可変ＲＲＴをＴＳ信号から取得するマイコン１８が一覧取得手段を構成する。
【００３１】
図２にＲＲＴの構成例を示す。可変ＲＲＴも固定ＲＲＴも基本的な構造は同じであり、可変ＲＲＴでは項目数や各項目のレベル数が放送局で増減可能である点で固定ＲＲＴと異なる。ＲＲＴは、レーティングテーブル名と、レーティング項目名と、ブロックタイプと、レベル名と、で構成される。レーティングテーブル名は各ＲＲＴの名称である。レーティング項目は視聴制限の仕方毎に作成されるため、例えば、その項目が特定の地域向けの視聴制限の仕方であれば地域名が項目名とされ、特定の放送局向けの視聴制限の仕方であれば放送局名を項目名となる。ブロックタイプには、カテゴリータイプとオーダータイプがあり、ブロックタイプがカテゴリータイプの項目のレベル名には放送内容を表す所定のキーワードが付されており、各レベル別に視聴制限の可／不可が設定可能である。一方ブロックタイプがオーダータイプの項目のレベル名は規則的に並べることが可能な名称（年齢等。）であり、レベルの上昇に応じて段階的に規制のレベルが上昇するタイプの項目である。従ってオーダータイプの項目では、いずれかのレベルに視聴制限が可能に設定されるとそのレベルより下位のレベルも全て視聴制限が可能に設定される。
【００３２】
可変ＲＲＴは放送局が独自に作成して送出するものであり、マイコン１８は所定のタイミングでＴＳ信号から可変ＲＲＴを抽出して不揮発性メモリ２０に格納することができる。取得された可変ＲＲＴは、取得元のチャンネルに対応付けられて不揮発性メモリ２０に記憶される。一方、不揮発性メモリ２０に出荷時に予め記録される固定ＲＲＴは、Ｖチップ２．０に基づく可変ＲＲＴとは異なりテーブルの内容が変更されることは無い。固定ＲＲＴは、テレビ放送信号の視聴制限を規定するTV Ratingと、ＤＶＤ等の記録媒体から再生される映像の視聴制限を行うMPAA Ratingと、で構成されることが一般的である。
【００３３】
ＥＩＴには、ＣＡＤ（Content Advisory Descriptor）と呼ばれる記述子が含まれており、このＣＡＤには、何れのＲＲＴの何れの項目の何れのレベル、で視聴制限を行うかをしめすレーティング情報（視聴ランク）が記載されている。またＣＡＤは、何れのバージョンのＲＲＴに基づいて視聴制限を行うべきかを示す識別子も有している。この識別子は固定ＲＲＴと可変ＲＲＴのいずれかに対応付けられた識別子であり、何れのＲＲＴの識別子と一致するかによって固定ＲＲＴを視聴制限に利用するか可変ＲＲＴを視聴制限に利用するかを変更する。具体的には、ＣＡＤの識別子と可変ＲＲＴが持つ識別子とを比較し、一致すれば可変ＲＲＴに基づく視聴制限を行い、一致しなければ固定ＲＲＴに基づく視聴制限を行う。
【００３４】
図３と図４にそれぞれＲＲＴのセクション構造とＣＡＤのセクション構造とを示す。図３において、rating_regionには可変ＲＲＴの識別子が格納され、rating_region_name_text()には可変ＲＲＴのテーブル名が格納され、dimension_name_text()には可変ＲＲＴの項目名が格納され、rating_value_name()には可変ＲＲＴのレベル名が格納される。また、図４において、rating_regionにはいずれかのＲＲＴに対応する識別子が格納される。つまりＲＲＴのrating_regionとＣＡＤのrating_regionとを比較することにより、視聴制限を行う際に使用するＲＲＴを判別可能となる。
【００３５】
また、各ＲＲＴの各項目の各レベルには、このレベルがレーティング情報で指定された場合に、この指定に基づいて視聴制限を行うか否かが利用者によって設定されている。この設定は、ＲＲＴの設定画面で各項目の各レベルがレーティング情報で指定された場合に視聴制限するか否かを利用者が設定することにより行われる。具体的には、利用者が所定の操作入力行うと、図５のようにＲＲＴの項目選択画面が表示される。そして、図５のいずれかの項目を選択入力すると図６のように各レベルでの視聴制限を行うか否かを設定する画面が表示される。このように利用者によって視聴制限を行うと設定された項目が視聴制限項目となる。
【００３６】
各レベルには、このレベルで行われる視聴制限の内容を端的に表す名称が付けられており、利用者はこの名称を見て視聴制限を行いたいレベルを判断し、所望のレベルに視聴制限可能フラグを付す。これにより、視聴制限可能フラグの付されたレベルをＣＡＤのレーティング情報が指定した場合は視聴制限が行われ、視聴制限可能フラグが付されていないレベルをＣＡＤのレーティング情報が指定した場合には視聴制限が行われないことになる。このように、可変ＲＴＴと固定ＲＴＴ、およびレーティング情報とに基づいて番組の視聴を制限する処理を行うマイコン１８が視聴制限手段を構成し、利用者の操作入力に基づいてＲＴＴの各レベルに視聴制限可能フラグを付す処理を行うマイコン１８が制限項目設定手段を構成する。
【００３７】
（３）チャンネルマップ： 
また、不揮発性メモリ２０にはチャンネルマップが記憶される。図７と図８にチャンネルマップの例を示す。図７は地上デジタルテレビ放送のチャンネルマップの例であり、図８はデジタルケーブルテレビ放送のチャンネルマップの例である。このチャンネルマップがチャンネル対応表を構成する。
【００３８】
各チャンネルマップには、物理チャンネルのチャンネル番号と、仮想メインチャンネルのチャンネル番号と、Ｖチップ２．０の可変ＲＲＴを取得したか否かを表す情報取得フラグと、各仮想メインチャンネルに属する仮想サブチャンネルのうち何れの仮想サブチャンネルを受信可能であるかを示す情報と、から構成される。この仮想メインチャンネルと仮想サブチャンネルが論理チャンネルに相当する。
【００３９】
図７において、物理チャンネル４に対応付けられている仮想メインチャンネル１０は、チャンネルマップ作成時に放送信号が検出されなかった等の理由から未登録になっており、従って情報取得フラグも未取得となっている。一方、図８において、物理チャンネル４に対応付けられている仮想メインチャンネル１０は、チャンネルマップ作成時に放送信号が検出されており、Ｖチップ２．０の情報取得フラグも取得済みになっている。
【００４０】
即ち、図７のように未登録の物理チャンネルが存在すると、この物理チャンネルをユーザが選択したときに、何も表示されなかったり、ノイズ画面が表示されたり、チャンネル選択が無効となったりする。しかしながら、ユーザは、何らかの表示がなされることを期待してチャンネルを選択するのであるから、チャンネル選択に対する反応には改善の余地があると言える。
【００４１】
（４）チャンネルを選択するマイコンの処理： 
以下、図９のフローチャートを参照して、チャンネル選択を行うマイコンの処理を説明する。この処理は、デジタルテレビジョンの電源がオンの間は繰り返し実行されるものとする。以下の記述では、地上デジタル放送を選択中にチャンネル選択が行われたものとして記載するが、むろんデジタルケーブルテレビ放送の受信中にチャンネル選択が行われる場合であってもよく、この場合は地上デジタル放送に対応する構成とデジタルケーブルテレビ放送に対応する構成を入替えた構成で実現される。
【００４２】
処理を開始すると、ステップＳ１０でチャンネル選択信号を検出したか否かを判断する。即ち、ユーザが操作入力部２２を操作して所望のチャンネルを選択すると、操作入力部２２からこのチャンネル選択を表す電圧信号が入出力回路１８ｅに入力される。するとマイコン１８はこの電圧信号を受け付けていずれの物理チャンネルが選択されたかを検出する。チャンネル選択信号を検出すると、条件成立としてステップＳ１２に進み、チャンネル選択信号を検出しないと条件不成立として処理を終了する。
【００４３】
ステップＳ１２では、選択された物理チャンネルが未登録のチャンネルであるか否かを判断する。即ち、地上波チャンネルマップを参照して、選択された物理チャンネルに仮想チャンネルが対応付けられているか否かを判断する。未登録であれば条件成立としてステップＳ１６に進み、登録済みであれば条件不成立としてステップＳ１４に進む。
【００４４】
ステップＳ１４では、選択されたチャンネルを選局する。即ち、地上波チャンネルマップにおいて選択された物理チャンネルに対応する仮想チャンネル（仮想メインチャンネルもしくは仮想サブチャンネル）を選局する選局信号を、地上波チューナ１０に出力して処理を終了する。
【００４５】
ステップＳ１６では、他方のチューナのチャンネルマップにおいて、ステップＳ１０で選択されたチャンネル番号と同一の番号が付された物理チャンネルが、登録済みであるか否かを判断する。即ち、ＣＡＴＶチャンネルマップを参照して、選択された物理チャンネルに仮想チャンネルが対応付けられているか否かを判断する。登録済みであれば条件成立としてステップＳ２０に進み、未登録であれば条件不成立としてステップＳ１８に進む。
【００４６】
ステップＳ１８では、他方のチューナのチャンネルマップにおいて、登録済みのチャンネルを１つ選択し、このチャンネルを選局してステップＳ２２に進む。即ち、ＣＡＴＶチャンネルマップを参照して、登録済みの物理チャンネルを１つ選択して、選択したチャンネルの選局信号をＣＡＴＶチューナ１１に出力する。このステップＳ１８で選択される物理チャンネルは登録済みでありさえすれば何れのチャンネルであってもよく、この選択の仕方は設計時に適宜選択されるものとする。これにより、地上デジタルテレビ放送において、チャンネルマップに未登録のチャンネル選択に基づいて、デジタルケーブルテレビのチャンネルが選択され、映像信号が画面に表示されることになる。
【００４７】
ステップＳ２０では、選択されたチャンネルであり、他方のチューナのチャンネルマップに登録されたチャンネルを選局してステップＳ２２に進む。即ち、ＣＡＴＶチャンネルマップにおいて、ステップ１０で選択されたチャンネル番号と同一の番号が付された物理チャンネルに対応付けられた仮想チャンネルの選局信号をＣＡＴＶチューナ１１に送出する。これにより、地上デジタルテレビ放送において、チャンネルマップに未登録のチャンネル選択に基づいて、デジタルケーブルテレビのチャンネルが選択され、映像信号が画面に表示されることになる。
【００４８】
ステップＳ２２では、他方のチューナのチャンネル番号に関連付けられた可変ＲＲＴを、選択されたチャンネルに対応付けて処理を終了する。即ち、ＣＡＴＶチャンネルマップにおいて上記ステップＳ１８もしくはＳ２０で選局されたチャンネルに対応付けられていた可変ＲＲＴを、上記ステップＳ１０で選択された地上デジタルテレビ放送の物理チャンネルに対応付けるとともにこの物理チャンネルのＶチップ２．０情報取得フラグを取得済みに設定する。同時に他方のチューナのチャンネル番号に関連付けられた論理チャンネルをもこの物理チャンネルに対応付けて記憶しても構わない。これにより未登録の物理チャンネルを選択して他方のチューナの映像を表示しているときに、表示された映像に適した視聴制限の設定が可能となる。
【００４９】
ここで、ステップＳ１８およびＳ２０では、選択される代替チャンネルを他方のチューナとして記載してあるが、無論、選択された物理チャンネルのチューナから代替チャンネルを選択しても本発明の目的を達成しうることは言うまでも無い。
【００５０】
以上、ステップＳ２２の処理を実行するマイコン１８が対応関係記憶手段を構成し、ステップＳ１０〜Ｓ２０の処理を実行するマイコン１８が代替チャンネル選局手段を構成する。
【００５１】
（５）まとめ： 
つまり、マイコン１８は、可変ＲＲＴを放送信号から取得して物理チャンネルに対応させて不揮発性メモリに記憶させ、利用者の操作入力に基づいて可変ＲＲＴの項目に視聴制限フラグを設定し、レーティング情報が可変ＲＲＴにおいて視聴制限フラグの設定されたレベルに該当した場合に上記放送信号の視聴を制限し、選択された物理チャンネルに論理チャンネルが対応付けられていない場合に、他方のチューナのチャンネルマップにおいて物理チャンネルと論理チャンネルとが対応済みのチャンネルを代替チャンネルとして選局し、且つ代替チャンネルに対応付けられた可変ＲＲＴを選択された物理チャンネルにも対応付ける。よって。Ｖチップ２．０が搭載されたデジタルテレビ放送受信装置において、論理チャンネルが対応付けられていない物理チャンネルをユーザが選択したときに、何らかの映像表示が行われるようになる。
【００５２】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００５３】
【図１】デジタルテレビジョンの概略ブロック構成図である。
【図２】ＲＲＴ（Rating Region Table）の構成例である。
【図３】ＲＲＴのセクション構造である。
【図４】ＣＡＤ（Content Advisory Descriptor）のセクション構造である。
【図５】視聴制限可能フラグの設定画面例である。
【図６】視聴制限可能フラグの設定画面例である。
【図７】地上デジタルテレビ放送のチャンネルマップの例である。
【図８】デジタルケーブルテレビ放送のチャンネルマップの例である。
【図９】チャンネル選択を行うマイコンの処理を示すフローチャートである。
【符号の説明】
【００５４】
１０…地上波チューナ、１１…ケーブルテレビチューナ（ＣＡＴＶチューナ）、１２…デジタル復調回路、１２ａ…フロントエンド、１２ｂ…バックエンド、１４…映像信号処理部、１６…ディスプレイ、１８…マイコン、１８ａ…ＣＰＵ、１８ｄ…ＯＳＤ回路、１８ｅ…入出力回路、２０…不揮発性メモリ、２２…操作入力部、１００…デジタルテレビジョン
【図１】
2008141571.tif 000003
【図２】
2008141571.tif 000004
【図３】
2008141571.tif 000005
【図４】
2008141571.tif 000006
【図５】
2008141571.tif 000007
【図６】
2008141571.tif 000008
【図７】
2008141571.tif 000009
【図８】
2008141571.tif 000010
【図９】
2008141571.tif 000011